(57)【要約】【課題】この発明は、床板体を起伏可能に設け、基体の内部を収容部として利用する場合、水平に倒伏した床板体を確実に保持できるベッド装置を提供することにある。【解決手段】上面が開口し内部を収容部とした箱形状の基体１と、基体の長手方向一端部にそれぞれリンク機構４によって長手方向の一端部の幅方向両側が回動可能に連結されほぼ水平に倒伏した状態で基体の上面開口を閉塞する床板体３と、床板体と基体に一端と他端とをそれぞれ回動可能に連結して設けられその付勢力によって床板体を一端部を支点として他端部が上昇する回動方向に付勢したガススプリング２２と、床板体をガススプリングの付勢力に抗してほぼ水平に倒伏させたときに床板体の他端部を基体の他端部に保持して床板体が上昇方向に回動するのを阻止する保持機構３５と具備する。【選択図】図１
2006320553.tif 000002
【特許請求の範囲】
【請求項１】
上面が開口し内部を収容部とした箱形状の基体と、
この基体の長手方向一端部にそれぞれリンク機構によって長手方向の一端部の幅方向両側が回動可能に連結されほぼ水平に倒伏した状態で上記基体の上面開口を閉塞する床板体と、
上記床板体と上記基体に一端と他端とをそれぞれ回動可能に連結して設けられその付勢力によって上記床板体を一端部を支点として他端部が上昇する回動方向に付勢したガススプリングと、
上記床板体を上記ガススプリングの付勢力に抗してほぼ水平に倒伏させたときに上記床板体の他端部を上記基体の他端部に保持してこの床板体が上昇方向に回動するのを阻止する保持手段と
を具備したことを特徴とするベッド装置。
【請求項２】
上記床板体は、水平に倒伏させたときに長手方向の他端部が上記基体の長手方向の他端部から突出するよう長さ寸法が上記基体の長さ寸法よりも長く設定されていて、
上記保持手段は、上記基体の長手方向の他端面に設けられた係止部材と、上記床板の長手方向の他端部の下面に回動可能に設けられ上記床板体を水平に倒伏させることで上記係止部材に弾性的に係合するフックと、このフックと上記係止部材との係合を解除する操作部材とによって構成されていることを特徴とする請求項１記載のベッド装置。
【発明の詳細な説明】
【技術分野】
【０００１】
この発明は基体を物品の収容部として利用することができるようにしたベッド装置に関する。
【背景技術】
【０００２】
一般に、ベッド装置は箱形状の基体を有する。この基体の長手方向一端にはヘッドボードが立設されている。基体の上面には床板体が設けられ、この床板体の上面にはマットレスが載置される。
【０００３】
このような構成のベッド装置において、上記基体の内部空間を小物類を収容するための収容部として利用できるようにしたものがある。基体の内部空間を収容部として利用する場合、上記基体を上面が開口した箱形状に形成するとともに、この基体に対して上記床板体を回動可能に連結する。そして、床板体を回動上昇させることで、上記基体の上面を開放し、内部空間である収容部に小物類を出し入れできるようにしている。
【０００４】
基体を収容部として利用する場合、上記床板体の長手方向の一端を基体の長手方向一端に回動可能に連結して開閉可能にするようにしている。上記床板体の回動上昇を軽い力で楽に行なうことができるとともに、倒伏させるときには床板体を緩やかに下降させるようにするため、基体と床板体との間にばね作用を備えたガススプリングを設けるということが行なわれている。
【０００５】
つまり、床板体を回動上昇させるときには、上記ガススプリングが復元力によって伸張するから、床板体を軽い力で回動上昇させることができ、水平方向に倒伏させるときには、上記ガススプリングが復元力に抗して縮小するから、上記床板体を緩やかに倒伏させることができるようになっている。
【発明の開示】
【発明が解決しようとする課題】
【０００６】
ところで、上記ガススプリングは、上記床板体を上記基体上に水平に倒伏させたときに、床板体を上昇方向に付勢するばね作用、つまり床板体を上昇方向に付勢する付勢力が床板体の重量とバランスする。それによって、水平に倒伏させた床板体はその水平状態が維持されるようになっている。
【０００７】
しかしながら、床板体に不用意に触れるなどすると、床板体の重量とガススプリングの付勢力とのバランス状態が崩れ、床板体にガススプリングの復元力が作用する。そのような場合、床板体は水平状態から上昇方向に回動し、基体の内部を露出させてしまうなどのことがあり、好ましくないということがあった。
【０００８】
つまり、従来のベッド装置は床板体をその重量とガススプリングの付勢力とのバランスによって水平に倒伏させた状態を維持するようにしていたので、不用意な外力などが加わると浮き上がるなどして不安定であった。
【０００９】
この発明は、基体の上面開口を閉塞するよう、床板体をほぼ水平に倒伏させた状態で、この床板体がガススプリングの付勢力によって上昇方向に回動することがないようにしたベッド装置を提供することにある。
【課題を解決するための手段】
【００１０】
この発明は、上面が開口し内部を収容部とした箱形状の基体と、
この基体の長手方向一端部にそれぞれリンク機構によって長手方向の一端部の幅方向両側が回動可能に連結されほぼ水平に倒伏した状態で上記基体の上面開口を閉塞する床板体と、
上記床板体と上記基体に一端と他端とをそれぞれ回動可能に連結して設けられその付勢力によって上記床板体を一端部を支点として他端部が上昇する回動方向に付勢したガススプリングと、
上記床板体を上記ガススプリングの付勢力に抗してほぼ水平に倒伏させたときに上記床板体の他端部を上記基体の他端部に保持してこの床板体が上昇方向に回動するのを阻止する保持手段と
を具備したことを特徴とするベッド装置にある。
【００１１】
上記床板体は、水平に倒伏させたときに長手方向の他端部が上記基体の長手方向の他端部から突出するよう長さ寸法が上記基体の長さ寸法よりも長く設定されていて、
上記保持手段は、上記基体の長手方向の他端面に設けられた係止部材と、上記床板の長手方向の他端部の下面に回動可能に設けられ上記床板体を水平に倒伏させることで上記係止部材に弾性的に係合するフックと、このフックと上記係止部材との係合を解除する操作部材とによって構成されていることが好ましい。
【発明の効果】
【００１２】
この発明によれば、水平状態に倒伏させた床板体は、その状態が保持手段によって回動不能に保持されるから、床板体に不用意な外力が加わるようなことがあっても、上昇方向に回動することがない。
【発明を実施するための最良の形態】
【００１３】
以下、図面を参照しながらこの発明の一実施の形態を説明する。
【００１４】
図１に示すこの発明のベッド装置は基体１を備えている。この基体１は上面が開口し、内部を収容部２とした矩形箱形状に形成されていて、長手方向の一端にはヘッドボードＨが設けられている。この基体１の上面開口は床板体３によって開閉されるようになっている。この床板体３は上記基体１よりも長さ寸法が長い矩形板状をなしていて、その長手方向一端部の幅方向両側部はそれぞれリンク機構４によって上記基体１に回動可能に連結されている。
【００１５】
上記床板体３の上面には図２や図７に鎖線で示すマットレスＭが載置されている。このマットレスＭは床板体３の長手方向一端部の上面に設けられたＬ字状の一対の保持具５によって上記床板体３を回動上昇させたときに、床板体３上からずれ落ちることがないよう保持されている。
【００１６】
図１乃至図３に示すように上記リンク機構４は、上記床板体３の長手方向一端部の幅方向両端部の内面に一辺が取付け固定されたアングル材からなる第１の連結部材６を有する。上記床板体３の末端側に位置する第１の取付け部材６の一端部には第１のリンク７の一端が第１の支軸８によって回動可能に連結されている。
【００１７】
上記第１の取付け部材６の中途部には第２のリンク９の一端が第２の支軸１１によって回動可能に連結されている。この第２のリンク９は上記第１のリンク７よりも長尺に形成されている。なお、第１、第２のリンク７，９は帯状部材の幅方向一端に折り曲げ片７ａ，９ａを全長にわたって形成することで、曲げに対する強度の向上が図られている。
【００１８】
上記基体１の長手方向一端部の両側板１ａの内面には第２の連結部材１２が上記基体１の長手方向に沿って取付け固定されている。つまり、第２の連結部材１２は帯状部材からなり、両端部には図２と図６に示すように上記基体１の内面から離間する方向に一対の山型部１３が折曲形成されている。
【００１９】
図６に示すように、上記山型部１３の両側にはそれぞれ一対の取付け孔１４（１つのみ図示）が穿設されている。そして、上記第２の取付け部材１２は上記各取付け孔１４から基体１の側板１ａに捩じ込まれたねじ１５によって取付け固定されている。
【００２０】
図１に示すように、上記基体１の各側板１ａの内面の上記第２の取付け部材１２が設けられた部分は壁部材１６によって覆われている。それによって、床板体３を回動させ、その回動に第１、第２のリンク７，９が連動しても、収容部２に収容された小物類などの物品がこれらリンク７，９の他端部に挟まれるのが防止されるようになっている。  
なお、この実施の形態では、上記第１、第２のリンク７，９及び第１、第２の取付け部材６，１２とで上記リンク機構４を構成している。
【００２１】
図１に示すように、上記第１のリンク７の他端は上記第２の取付け部材１２の一方の山型部１３に第３の支軸１７によって回動可能に連結され、上記第２のリンク９の他端は他方の山型部１３に第４の支軸１８によって回動可能に連結されている。
【００２２】
図６に示すように、各支軸１７，１８と各リンク７，９との間にはブッシュ１９が設けられ、山型部１３と各リンク７，９の側面との間にはワッシャ２１が設けられている。それによって、各リンク７，９は山型部１３に対して円滑に回動可能となっている。
【００２３】
上記第１の取付け部材６の上記第２のリンク９の一端が連結された箇所よりもやや他端よりの箇所にはガススプリング２２の一端、つまりシリンダ２２ａの一端が枢着されている。このガススプリング２２の他端、つまりロッド２２ｂの先端は上記第２のリンク９の他端部に枢着されている。
【００２４】
図３に示すように、上記床板体３がほぼ水平に倒伏して基体１の上面開口を閉塞した状態では、上記ガススプリング２２は縮小している。つまり、ロッド２２ｂは突出方向の付勢力に抗してシリンダ２２ａ内に没入している。このとき、ガススプリング２２は収容部２内で倒伏し、床板体３の下面に対する角度が小さくなっているから、その付勢力と床板体３の重量とがバランスし、床板体３はほぼ水平に倒伏した状態が維持される。
【００２５】
床板体３を図２に示すように上昇方向に回動させると、その回動につれてガススプリング２２が起立してくる。それによって、床板体３に作用するガススプリング２２の付勢力が増大するから、床板体３を軽い力で上昇させることが可能となる。図２に示すように所定の角度で上昇した床板体３を図３に示すように倒伏させる場合には、ガススプリング２２の付勢力が床板体３の自重を支えるから、この床板体３を軽い力で緩やかに倒伏させることが可能となる。
【００２６】
図５に示すように、上記第２のリンク９の一端部にはガイド軸２５がこのリンク９の板面に対してほぼ直角に取付け固定されている。このガイド軸２５にはストッパリンク２６が一端部に形成された取付け孔２７を回転可能に嵌合させている。つまり、ストッパリンク２６は上記ガイド軸２５を支点として回動可能であるとともに、このガイド軸２５の軸方向、つまり回動方向と直交する方向に沿って変位可能になっている。上記ガイド軸２５の先端には上記ストッパリンク２６がガイド軸２５から抜出するのを防止するＣリング２５ａが取付けられている。
【００２７】
上記ストッパリンク２６の他端部には係止部材としての軸状の係止突起２８が第２のリンク９に向かって突設されている。図２と図５に示すように、ストッパリンク２６が第２のリンク９に重合した状態では上記係止突起２７は上記第２のリンク９の一端部に穿設された第１の係合孔２９に係合可能となっている。
【００２８】
図２に示すように、上記第１の取付け部材６の長手方向中途部で、上記第２のリンク６の一端部が枢着された箇所の近くには係合部としての第２の係合孔３１が形成されている。
【００２９】
上記床板体３を図２に示すように所定の角度まで回動上昇させたとき、上記ストッパリンク２６をガイド軸２５に沿って第２のリンク９から離れる方向に変位させ、他端に設けられた係止突起２８を第１の係合孔２９から外す。ついで、このストッパリンク２６を図２に矢印で示す方向へ回動させて上記係止突起２８を第２の係止孔３１に対向させた後、ストッパリンク２６をガイド軸２５に沿って第２のリンク９に近づく方向へ変位させれば、上記係止突起２８が第２の係止孔３１に係合する。それによって、第２のリンク９の回動が阻止されるから、床板体３は上昇方向及び下降方向のいずれにも回動不能に保持される。
【００３０】
図１に示すように、基体１の長手方向中途部には一端と他端とをそれぞれ側板１ａの内面に固定したパイプ状の補強杆３３が架設されている。この補強杆３３は一対の側板１ａが幅方向外方へ撓むのを防止している。
【００３１】
図７乃至図９に示すように、床板体３を水平に倒伏させたとき、この床板体３の長手方向他端部と、基体１の長手方向他端部とは保持手段である、一対の保持機構３５によって連結される。
【００３２】
上記保持機構３５は上記基体１の長手方向の他端面の上部に一辺がねじ３６によって取付け固定されたＬ字状の係止部材３７を有する。この係止部材３７には上記床板体３の他端部の下面に設けられたフック３８が弾性的に係合するようになっている。
【００３３】
つまり、床板体３を水平に倒伏させたときに、基体１の他端面から外方へ突出した上記床板体３の突出端部の下面には取付け板３９がねじ４１によって固定されている。この取り付け板３９の幅方向両端には支持片４２が設けられている。
【００３４】
一対の支持片４２には支軸４３が回動可能に支持されている。この支軸４３には板状の操作部材４４の一端が連結固定されている。この操作部材４４は上記支軸４３に設けられたばね４５によって図９に矢印で示す方向に弾性的に付勢されている。
【００３５】
上記フック３８は、上記操作部材４４と所定の角度をなすよう、一端を上記操作部材４４の一端部に連結して設けられている。このフック３８の他端にはテーパ面４６ａを有する鉤部４６が形成されている。
【００３６】
そして、上記床板体３を上昇した状態から水平方向に倒伏させてゆくと、図９に矢印で示す方向に弾性的に付勢されたフック３８の鉤部４６のテーパ面４６ａが上記係止部材３７の他辺に当たる。
【００３７】
係止部材３７の他辺に当たったフック３８はばね４４の付勢力に抗して矢印と逆方向に回動する。そして、床板体３がほぼ水平になるまで倒伏すると、フック３８の鉤部４６のテーパ面４６ａが上記係止部材３７の他辺よりも下方になる。それによって、上記フック３８はばね４５の復元力によって矢印方向に回動し、その鉤部４６が上記係止部材３７の他辺に係合するから、床板体３は上昇方向に回動不能に保持されることになる。
【００３８】
このように、床板体３をほぼ水平に倒伏させたとき、床板体３の他端部下面に設けられたフック３８を、基体１の他端面に設けられた係止部材３７に自動的に弾性的に係合させるようにした。
【００３９】
そのため、水平に倒伏した床板体３は上昇方向に回動するのが阻止されることになるから、上記床板体３に不用意な外力が加わるなどしても、床板体３が上昇方向に回動するということがないから、床板体３を倒伏させた状態において、ベッド装置を安定した状態で使用することが可能となる。
【００４０】
しかも、床板体３を水平方向に回動させれば、床板体３に設けられたフック３８が基体１に設けられた係止部材３７に自動的に係合する。そのため、床板体３を水平に倒伏させたとき、なんら操作することなく床板体３を上昇方向に回動不能に保持することができるから、余計な手間が掛からず、使用し易いということもある。
【００４１】
基体１の収容部２を利用するために床板体３を上昇させる場合、床板体３の他端部下面にフック３８と一体的に設けられた操作部材４４に手指を掛け、この操作部材４４をばね４５の付勢力に抗して図９に矢印で示す方向と逆方向に回動させる。それによって、操作部材４４と一体的に設けられたフック３８が回動して係止部材３７との係合が外れるから、床板体３を上昇方向に回動させることが可能な状態となる。
【００４２】
床板体３の他端部下面に設けられた操作部材４４に手指を掛ける場合、床板体３の他端部を手のひらで保持する状態となる。したがって、操作部材４４を回動させ、フック３８を係止部材３７から外したならば、その状態で床板体３を上昇方向に回動させることができる。
【００４３】
つまり、操作部材４４とともにフック３８を回動させて床板体３の保持状態を解除したならば、その操作に連続して床板体３を上昇方向に回動させることができるから、基体１の収容部２を利用する際の操作も容易に行なうことが可能である。
【００４４】
上記一実施の形態では保持機構として基体に係止部材を設け、床板体にフックを設けた例について説明したが、基体と床板体とに、床板体を水平に倒伏させたときに互いに磁気結合する磁石若しくは磁石と磁性体とを設けることで、その磁気結合によって床板体を水平に倒伏させたときに、上昇方向に回動するのを阻止するように保持する構成であってもよい。
【図面の簡単な説明】
【００４５】
【図１】この発明の一実施の形態に係るベッド装置の床板体を回動上昇させた斜視図。
【図２】床板体を回動上昇させた状態のリンク機構の部分を示す断面図。
【図３】床板体を倒伏させた状態のリンク機構の部分を示す断面図。
【図４】リンク機構の平面図。
【図５】第２のリンクのストッパリンクが設けられた部分を一部断面して示す平面図。
【図６】第２の取付け部材とリンクとの連結部分の断面図。
【図７】ベッド装置の正面図。
【図８】保持機構が設けられた基体の端部の拡大断面図。
【図９】基体の端部の保持機構の部分をさらに拡大した断面図。
【符号の説明】
【００４６】
１…基体、２…収容部、３…床板体、７…第１のリンク、９…第２のリンク、２２…ガススプリング、３５…保持機構（保持手段）、３７…係止部材、３８…フック、４４…操作部材。
【図１】
2006320553.tif 000003
【図２】
2006320553.tif 000004
【図３】
2006320553.tif 000005
【図４】
2006320553.tif 000006
【図５】
2006320553.tif 000007
【図６】
2006320553.tif 000008
【図７】
2006320553.tif 000009
【図８】
2006320553.tif 000010
【図９】
2006320553.tif 000011